(57)【要約】【課題】  架空ドロップ光ファイバの余長集束部分を防護するための架空ドロップ光ファイバの防護部材および防護方法を提供する。【解決手段】  架線より垂下して余長集束部分を固定するための固定部を保持するための保持手段と、すくなくとも重ね合わせた２枚の板材で構成され、この板材の面同士の間に余長集束部分を挟持するための挟持手段と、余長集束部分の挟持を維持しながら２枚の板材同士を接着するための接着手段と、を備える。【選択図】      図１
2006091737.tif 000002
【特許請求の範囲】
【請求項１】
架線に架設された架空ドロップ光ファイバの余長集束部分を防護するための架空ドロップ光ファイバの防護部材であって、
前記余長集束部分を固定するために前記架線に備わる固定部を保持するための保持手段と、
すくなくとも重ね合わせた２枚の板材で構成され、この板材の面同士の間に前記余長集束部分を挟持するための挟持手段と、
前記余長集束部分の挟持を維持しながら２枚の前記板材同士を接着するための接着手段と、
を備えることを特徴とする架空ドロップ光ファイバの防護部材。
【請求項２】
前記挟持手段は、
２枚の前記板材の一端辺部同士が互いに接合されていることを特徴とする請求項１に記載の架空ドロップ光ファイバの防護部材。
【請求項３】
前記接着手段は、
任意に接着と剥離が可能であることを特徴とする請求項１または２のいずれかに記載の架空ドロップ光ファイバの防護部材。
【請求項４】
前記挟持手段は、
挟持している前記余長集束部分を外部から目視不可とするために着色されていることを特徴とする請求項１〜３のいずれかに記載の架空ドロップ光ファイバの防護部材。
【請求項５】
前記保持手段は、
前記固定部を挟んで保持するために前記板材に設けられたスリットにて構成されていることを特徴とする請求項１〜４のいずれかに記載の架空ドロップ光ファイバの防護部材。
【請求項６】
架線に架設された架空ドロップ光ファイバの余長集束部分を防護するための架空ドロップ光ファイバの防護方法であって、
保持手段により前記余長集束部分を固定するために前記架線に備わる固定部を保持するステップと、
すくなくとも重ね合わせた２枚の板材で構成された挟持手段により、前記板材の面同士の間に前記余長集束部分を挟持するステップと、
接着手段により前記余長集束部分の挟持を維持しながら２枚の前記板材同士を接着するステップと、
を有して前記余長集束部分を防護することを特徴とする架空ドロップ光ファイバの防護方法。
【請求項７】
前記挟持手段は、
２枚の前記板材の一端辺部同士が互いに接合されていることを特徴とする請求項６に記載の架空ドロップ光ファイバの防護方法。
【請求項８】
前記接着手段は、
任意に接着と剥離が可能であることを特徴とする請求項６または７のいずれかに記載の架空ドロップ光ファイバの防護方法。
【請求項９】
前記挟持手段は、
挟持している前記余長集束部分を外部から目視不可とするために着色されていることを特徴とする請求項６〜８のいずれかに記載の架空ドロップ光ファイバの防護方法。
【請求項１０】
前記保持手段は、
前記固定部を挟んで保持するために前記板材に設けられたスリットにて構成されていることを特徴とする請求項６〜９のいずれかに記載の架空ドロップ光ファイバの防護方法。
【発明の詳細な説明】
【技術分野】
【０００１】
本発明は、架空ドロップ光ファイバの余長集束部分を防護するための架空ドロップ光ファイバの防護部材および防護方法に関する。
【背景技術】
【０００２】
従来の技術において、架空ドロップ光ファイバの屈曲箇所（引留め部、余長集束部分）に対し、この引留め部を外部からの影響から防護するための方法がいくつか提供されている。
【０００３】
これらの防護方法のうち、例えば、光ファイバの屈曲箇所に防護品である「電線防護カバー」を巻き付けて、電柱等との接触による衝撃や、あるいは摩擦に対抗する防護方法が実施されている。この防護方法により架空ドロップ光ファイバの外被および光ファイバ自身が損傷することを防止している。
【０００４】
これらの「電線防護カバー」は、架空ドロップ光ファイバ毎に個々に独立して装着するものである。主に架空ドロップ光ファイバを含む架空ケーブル（架空ドロップ光ファイバよりも太径）の直線部（水平部）を防護することを目的としている（非特許文献１、非特許文献２を参照）。
【０００５】
なお、外部からの影響としては、例えば烏などの生物による架空ドロップ光ファイバへの攻撃であり、生物が齧ったり、あるいは穿孔したりする行動により発生する。
【非特許文献１】http://www.daito-d.co.jp/Catalog/TS/ts_001.html
【非特許文献２】http://www.yotsugi.co.jp/products/denzai.html
【発明の開示】
【発明が解決しようとする課題】
【０００６】
しかしながら、こうした従来の技術による架空ドロップ光ファイバの防護部材や防護方法では、架空ドロップ光ファイバの引留め部を防護することを目的としており、架空ドロップ光ファイバの余長集束部分を防護するためには、架空ドロップ光ファイバの１本毎にそれぞれ電線防護カバーを被せる必要があるので、それぞれの架空ドロップ光ファイバに電線防護カバーが被さっているので、全体では多くの場所を要し、さらに電線防護カバーも架空ドロップ光ファイバと一緒に丸める必要もあり、作業性が決して良好なものではなかった。
【０００７】
また、数本の架空ドロップ光ファイバの余長部分について、それぞれの架空ドロップ光ファイバに電線防護カバーが被さっているので、全体では多くの場所を要し、さらに電線防護カバーも架空ドロップ光ファイバと一緒に丸める必要もあり、作業性が決して良好なものではなかった。
【０００８】
また、架空ドロップ光ファイバの余長集束部分に電線防護カバーを装着した後に、この余長集束部分に再び架空ドロップ光ファイバの余長集束部分を追加して束ねるには、一旦束ねた輪状の余長集束部分を開放した後に再び束ねなおす必要があった。このため、設備形態の変更に対して柔軟に対応することが難しかった。
【０００９】
また、架空ドロップ光ファイバと電線防護カバーとの隙間に雨水などの水分が滞留する可能性もあり、架空ドロップ光ファイバの外被が長時間に渡って水分に浸漬されるので、耐候性の点で決して好ましくはなかった。
【００１０】
このような課題に鑑み、本発明は、架空ドロップ光ファイバの直線部分や屈曲箇所にかかわらず余長集束部分を防護することができ、
また、複数の架空ドロップ光ファイバの余長部分を纏めて輪状に丸めて束ねた状態で一度に防護可能として防護に要する作業性を良好なものにでき、
また、架空ドロップ光ファイバの余長集束部分に防護を施した後においても、この余長集束部分に再び架空ドロップ光ファイバの余長集束部分を容易に追加可能として設備形態の変更に対して柔軟に対応することができ、
また、架空ドロップ光ファイバと防護部材との隙間に雨水などの水分が滞留することも無く耐候性も良好な、架空ドロップ光ファイバの防護部材および防護方法を提供することを目的としている。
【課題を解決するための手段】
【００１１】
請求項１に記載の本発明は、架線に架設された架空ドロップ光ファイバの余長集束部分を防護するための架空ドロップ光ファイバの防護部材であって、前記余長集束部分を固定するために前記架線に備わる固定部を保持するための保持手段と、すくなくとも重ね合わせた２枚の板材で構成され、この板材の面同士の間に前記余長集束部分を挟持するための挟持手段と、前記余長集束部分の挟持を維持しながら２枚の前記板材同士を接着するための接着手段と、を備える。
【００１２】
また、請求項２に記載の本発明は、請求項１において、前記挟持手段は、２枚の前記板材の一端辺部同士が互いに接合されている。
【００１３】
また、請求項３に記載の本発明は、請求項１または２のいずれかにおいて、前記接着手段は、任意に接着と剥離が可能である。
【００１４】
また、請求項４に記載の本発明は、請求項１〜３のいずれかにおいて、前記挟持手段は、挟持している前記余長集束部分を外部から目視不可とするために着色されている。
【００１５】
また、請求項５に記載の本発明は、請求項１〜４のいずれかにおいて、前記保持手段は、前記固定部を挟んで保持するために前記板材に設けられたスリットにて構成されている。
【００１６】
また、請求項６に記載の本発明は、架線に架設された架空ドロップ光ファイバの余長集束部分を防護するための架空ドロップ光ファイバの防護方法であって、保持手段により前記余長集束部分を固定するために前記架線に備わる固定部を保持するステップと、すくなくとも重ね合わせた２枚の板材で構成された挟持手段により、前記板材の面同士の間に前記余長集束部分を挟持するステップと、接着手段により前記余長集束部分の挟持を維持しながら２枚の前記板材同士を接着するステップと、を有する。
【００１７】
また、請求項７に記載の本発明は、請求項６において、前記挟持手段は、２枚の前記板材の一端辺部同士が互いに接合されている。
【００１８】
また、請求項８に記載の本発明は、請求項６または７のいずれかにおいて、前記接着段は、任意に接着と剥離が可能である。
【００１９】
また、請求項９に記載の本発明は、請求項６〜８のいずれかにおいて、前記挟持手段は、挟持している前記余長集束部分を外部から目視不可とするために着色されている。
【００２０】
また、請求項１０に記載の本発明は、請求項６〜９のいずれかにおいて、前記保持手段は、前記固定部を挟んで保持するために前記板材に設けられたスリットにて構成されている。
【発明の効果】
【００２１】
本発明によれば、架空ドロップ光ファイバの直線部分や屈曲箇所にかかわらず余長集束部分を防護することができ、
また、複数の架空ドロップ光ファイバの余長部分を纏めて輪状に丸めて束ねた状態で一度に防護可能として防護に要する作業性を良好なものにでき、
また、架空ドロップ光ファイバの余長集束部分に防護を施した後においても、この余長集束部分に再び架空ドロップ光ファイバの余長集束部分を容易に追加可能として設備形態の変更に対して柔軟に対応することができ、
また、架空ドロップ光ファイバと防護部材との隙間に雨水などの水分が滞留することも無く耐候性も良好な、架空ドロップ光ファイバの防護部材および防護方法を提供することができる。
【発明を実施するための最良の形態】
【００２２】
図１に示すのは、本発明の架空ドロップ光ファイバの防護部材の実施の形態に係る、全体構造を説明するための説明図である。この図１に参照される防護部材１は、その片面に着脱自在な面ファスナを構成するためのループ側面ファスナ（接着手段）２と、このループ側面ファスナ２に接合して着脱自在に接着するフック側面ファスナ（接着手段）３と、防護部材１の一端辺から切り込まれて形成された２本のスリット（固定部）Ｓとを有している。
【００２３】
なお、防護部材１自身は耐水性と耐候性を有する素材で構成されており、例えばポリエチレン、ポリプロピレン、ナイロン、ポリエステルなどの高分子材料を適用することができる。他に、アルミニウムなどの金属や防水性の繊維布などを適用してもよい。
【００２４】
また、スリットＳは図１においては２本が示されているが、防護部材１を固定する場合の状況に応じて増減してもよい。スリットＳの形成は、例えば防護部材１の端部より切断加工を行い、図１中の曲げ位置Ｌまで行うことで実現できる。また、防護部材１は略板状の材料を用いて実現することができ、図１には略長方形の板材を用いた例を示しているが、必要に応じて他の形状に加工してもよい。さらに好ましくは図１中に示された曲げ位置Ｌにて折り曲げ加工が可能な程度の厚みとしてもよい。
【００２５】
ループ側面ファスナ２は、防護部材１の半分の端辺に沿って配置されており、図１においては曲げ位置Ｌに対して下半分の３つの端辺に沿って３枚のループ側面ファスナ２をそれぞれ配置した例を示している。なお、ループ側面ファスナ２は、防護部材１に対して、配置された位置から容易に剥がれないように接着剤や、あるいは溶着などの手段でもって固着されている。
【００２６】
一方、フック側面ファスナ３は、防護部材１のループ側面ファスナ２が配置されたのと反対側の端辺にそれぞれ配置されている。この配置は、図１に参照されるように、一点鎖線で示された曲げ位置Ｌに対して防護部材１の上半分の端辺にそれぞれ配置され、更に２本のスリットＳのそれぞれにも近接して配置されている。なお、フック側面ファスナ３は、防護部材１に対して、配置された位置から容易に剥がれないように接着剤や、あるいは溶着などの手段でもって固着されている。
【００２７】
次に、図２〜図４に示すのは、本発明の架空ドロップ光ファイバの防護部材の実施の形態に係る、防護方法を説明するための説明図である。
【００２８】
まず図２を参照して、防護部材１は図１に示した曲げ位置Ｌの部分を中心として折り曲げられている。この折り曲げ方向は、図１に示したループ側面ファスナ２とフック側面ファスナ３とが配置された面を内側にしている。
【００２９】
また、スリットＳには、固定部５がそれぞれに挟み込まれるように挿入される。こうして固定部５はスリットＳの隙間の奥の終端部まで移動し、挟み込まれて挟持される。なお、固定部５は、後述の図５に参照される架空ＡＯクロージャ１１などに装着された架空ドロップ光ファイバの余長部を固定するための固定手段である。この固定部５は、架空ドロップ光ファイバの架空配線において一般的に用いられている架空ＡＯクロージャ１１に備わるものであり、メーカや製品サイズの違いなどにより固定部５の形状が異なっても良い。
【００３０】
次に、図３において、ループ面側ファスナ６をスリットＳの溝を跨ぐように貼り付ける。このループ面側ファスナ６は、図１に参照されるスリットＳの周囲に配置され固着されたフック側面ファスナ３のほぼ全体と同程度の形状（面積）を有しており、このループ側面ファスナ６をフック側面ファスナ３に貼り付けることによりスリットＳの溝が塞がれる。スリットＳの溝が塞がれることによって、固定部５がスリットＳによる挟持から解放されて脱出してしまうことを防止している。
【００３１】
なお、ここで、架空ドロップ光ファイバの図示しない余長集束部分を固定部５へ固定する。この固定は針金や結束バンドなどを用いて行う。余長集束部分は防護部材１の折り曲げた内側に収納される。
【００３２】
次に、図４において、防護部材１を曲げ位置Ｌを中心として完全に折り曲げた後の状態を示している。この折り曲げによって、ループ側面ファスナ２とフック側面ファスナ３とが互いに貼り合わさり、接合している。この接合は、ループ側面ファスナ２の表面に多数設けられたループ状の繊維突起と、この繊維突起に対してフック側面ファスナ３の表面に多数設けられたフック状の繊維突起とが互いに引っかかり固定することによって実現している。
【００３３】
もちろん、こうした既存の面ファスナを用いる以外には、例えばスナップボタンや契合溝、チャックなどを用いてもよい。いずれの方法を適用しても、防護部材１の折り曲げ後の形状が保持されることに変わりはなく、従って面ファスナを本発明の防護部材に用いることを限定するものではない。
【００３４】
図４に参照される状態では、防護部材１は固定部５により、図示しない架空ＡＯクロージャ１１などから吊下げられて保持されている。スリットＳはループ側面ファスナ６によって塞がれており、固定部５が防護部材１から脱出してしまうことを防止し、余長集束部分を挟持するための挟持手段を構成している。
【００３５】
また、面ファスナ接合部７により、防護部材１の概ね全周が封止されており、内部に固定部５によって保持されている図示しない余長集束部分が収納されて、外部からの物理的な干渉から防護している。
【００３６】
例えば、風雨などにより防護部材１が揺すられても、固定部５により保持されているので、防護部材１が落下することはない。また、雨水の浸入も面ファスナ７により阻止されており、たとえ雨水が浸入しても内部の余長集束部分に付着して留まることなく、排出され下方へ滴下する。さらに、生物などによる余長集束部分への齧りや穿孔などの物理的な攻撃に対しても、防護部材１により阻止される。なお、防護部材１が不透明に着色されているので、内部の余長集束部分が生物に目視され認識されることを防止でき、これら生物による攻撃を未然に防止することができる。
【００３７】
次に、図５と図６に示すのは、本発明の本発明の架空ドロップ光ファイバの防護部材の実施の形態に係る、防護部材の設置方法を説明するための説明図である。
【００３８】
まず、図５を参照して、屋外に設置された電柱１０に架空ドロップ光ファイバ１２が架空配線されており、この架空ドロップ光ファイバ１２は電柱１０により支持されている。また、架空ＡＯエンクロージャ１１は架空ドロップ光ファイバ１２の中途に装着されており、架空ドロップ光ファイバ１２から必要に応じて引出された架空ドロップ光ファイバ１３を提供している。
【００３９】
架空ドロップ光ファイバ１３は、余長集束部分１４を形成している。この余長集束部分１４は、その全体が本発明の防護部材１に内包され防護されている。防護部材１は、架空ＡＯクロージャ１１に備わる図示しない固定部５（図２〜図４を参照）により保持されている。
【００４０】
次に、図６には別の設置方法を示している。この図６に示すのは、既に説明した図５に参照される架空ＡＯクロージャ１１に代えてＤクロージャ１５が電柱１０に配置されている場合である。
【００４１】
Ｄクロージャ１５は電柱１０の表面に装着されているので、防護部材１もＤクロージャ１５に近接して配置されている。この場合も、架空ＡＯクロージャ１１への装着と同じく、図示しない固定部により防護部材１が保持されている。Ｄクロージャ１５から引出されている余長集束部分１４は防護部材１に内包され、外部より防護されている。
【００４２】
このように、本発明の実施の形態において示されるのは、架線に架設された架空ドロップ光ファイバの余長集束部分を防護するための架空ドロップ光ファイバの防護部材であって、余長集束部分を固定するために架線に備わる固定部を保持するための保持手段と、すくなくとも重ね合わせた２枚の板材で構成され、この板材の面同士の間に余長集束部分を挟持するための挟持手段と、余長集束部分の挟持を維持しながら２枚の板材同士を接着するための接着手段と、を備えている。
【００４３】
また、挟持手段は、２枚の板材の一端辺部同士が互いに接合されている。
【００４４】
また、接着手段は、任意に接着と剥離が可能である。
【００４５】
また、挟持手段は、挟持している余長集束部分を外部から目視不可とするために着色されている。
【００４６】
また、保持手段は、固定部を挟んで保持するために板材に設けられたスリットにて構成されている。
【００４７】
また、架線に架設された架空ドロップ光ファイバの余長集束部分を防護するための架空ドロップ光ファイバの防護方法であって、保持手段により余長集束部分を固定するために架線に備わる固定部を保持するステップと、すくなくとも重ね合わせた２枚の板材で構成された挟持手段により、板材の面同士の間に余長集束部分を挟持するステップと、接着手段により余長集束部分の挟持を維持しながら２枚の板材同士を接着するステップと、を有している。
【００４８】
また、挟持手段は、２枚の板材の一端辺部同士が互いに接合されている。
【００４９】
また、接着段は、任意に接着と剥離が可能である。
【００５０】
また、挟持手段は、挟持している余長集束部分を外部から目視不可とするために着色されている。
【００５１】
また、保持手段は、固定部を挟んで保持するために板材に設けられたスリットにて構成されている。
【００５２】
以上説明した本発明の実施の形態によれば、架空ドロップ光ファイバの余長集束部分を防護することができ、また、複数の架空ドロップ光ファイバの余長部分を纏めて輪状に丸めて束ねた状態で一度に防護可能として防護に要する作業性を良好なものにでき、また、架空ドロップ光ファイバの余長集束部分に防護を施した後においても、この余長集束部分に再び架空ドロップ光ファイバの余長集束部分を容易に追加可能として設備形態の変更に対して柔軟に対応することができ、また、架空ドロップ光ファイバと防護部材との隙間に雨水などの水分が滞留することも無く耐候性も良好な、架空ドロップ光ファイバの防護部材および防護方法を提供することができる。
【図面の簡単な説明】
【００５３】
【図１】本発明の架空ドロップ光ファイバの防護部材の実施の形態に係る、全体構造を説明するための説明図である。
【図２】本発明の架空ドロップ光ファイバの防護部材の実施の形態に係る、防護方法を説明するための説明図である。
【図３】本発明の架空ドロップ光ファイバの防護部材の実施の形態に係る、防護方法を説明するための説明図である。
【図４】本発明の架空ドロップ光ファイバの防護部材の実施の形態に係る、防護方法を説明するための説明図である。
【図５】本発明の本発明の架空ドロップ光ファイバの防護部材の実施の形態に係る、防護部材の設置方法を説明するための説明図である。
【図６】本発明の本発明の架空ドロップ光ファイバの防護部材の実施の形態に係る、防護部材の設置方法を説明するための説明図である。
【符号の説明】
【００５４】
１  防護部材
２、６  ループ側面ファスナ
３  フック側面ファスナ
５  固定部
７  面ファスナ接合部
１０  電柱
１１  架空ＡＯクロージャ
１２、１３  架空ドロップ光ファイバ
１４  余長集束部分
１５  Ｄクロージャ
Ｌ  曲げ位置
Ｓ  スリット
【図１】
2006091737.tif 000003
【図２】
2006091737.tif 000004
【図３】
2006091737.tif 000005
【図４】
2006091737.tif 000006
【図５】
2006091737.tif 000007
【図６】
2006091737.tif 000008